(57)【要約】      （修正有）【課題】表片、裏片全体の厚さの均一化と、内容物の十分な収納領域の確保及び内容物の挿入・取り出しの円滑性の確保とを併せて実現した封筒を提供する。【解決手段】封筒１は、四角形状又は長方形状で上辺に台形状の蓋片４を一体形成した表片２と、この表片２と略同一寸法で、かつ、前記表片２の一方の側辺部に一方の側辺部が一体に連なり折り込みにより前記表片２と重なり合わせた裏片と、前記表片２、裏片の重なり合う他方側の両側辺部の内面同士を略１０ｍｍ幅で糊により貼り合わせた側辺貼り合わせ部１１と、前記表片２、裏片の重なり合う両下辺部の内面同士を略１０ｍｍ幅で糊により貼り合わせた下辺貼り合わせ部１２とを有し、蓋片４側に内容物出入用の開口部を有する構成とした。【選択図】図１
0003180390.tif 000002
【実用新案登録請求の範囲】
【請求項１】
四角形状又は長方形状で上辺に蓋片を一体形成した表片と、
この表片と略同一寸法で、かつ、前記表片の一方の側辺部に一方の側辺部が一体に連なり折り込みにより前記表片と重なり合わせた裏片と、
前記表片、裏片の重なり合う他方側の両側辺部の内面同士を一定寸法分貼り合わせた側辺貼り合わせ部と、
前記表片、裏片の重なり合う両下辺部の内面同士を一定寸法分貼り合わせた下辺貼り合わせ部と、
を有し、
前記蓋片側に内容物出入用の開口部を有する構造としたこと、
を特徴とする封筒。
【請求項２】
四角形状又は長方形状で上辺に台形状の蓋片を一体形成した表片と、
この表片と略同一寸法で、かつ、前記表片の一方の側辺部に一方の側辺部が一体に連なり折り込みにより前記表片と重なり合わせた裏片と、
前記表片、裏片の重なり合う他方側の両側辺部の内面同士を略１０ｍｍ幅で糊により貼り合わせた側辺貼り合わせ部と、
前記表片、裏片の重なり合う両下辺部の内面同士を略１０ｍｍ幅で糊により貼り合わせた下辺貼り合わせ部と、
を有し、
前記蓋片側に内容物出入用の開口部を有する構造としたこと、
を特徴とする封筒。
【請求項３】
四角形状又は長方形状で上辺に台形状の蓋片を一体形成した表片と、
この表片と略同一寸法で、かつ、前記表片の一方の側辺部に一方の側辺部が一体に連なり折り込みにより前記表片と重なり合わせた裏片と、
前記表片、裏片の重なり合う他方側の両側辺部の内面同士を略１０ｍｍ幅で糊により貼り合わせた側辺貼り合わせ部と、
前記表片、裏片の重なり合う両下辺部の内面同士を略１０ｍｍ幅で糊により貼り合わせた下辺貼り合わせ部と、
を有し、
前記蓋片側に内容物出入用の開口部を有する構造とするとともに、全体形状を、縦サイズが横サイズの２倍より短い各種サイズの角型封筒、縦サイズが横サイズの２倍程度ある各種サイズの長形封筒、長辺に封入口がある各種サイズの洋形封筒のいずれかの形状としたこと
を特徴とする封筒。
【考案の詳細な説明】
【技術分野】
【０００１】
本考案は、封筒に関し、詳しくは、封筒の仕上がり厚さの均一化と、内容物の十分な収納領域の確保及び内容物の出入の円滑化とを実現した封筒に関するものである。
【背景技術】
【０００２】
内容物として、例えば四角形状の紙葉類等を収納する封筒においては、プリンタによる宛名等の印刷における便宜のために封筒の仕上がり厚さが均一であること、内容物の十分な収納領域を有することが要請される。
【０００３】
従来から一般に用いられているたとえばＪＩＳ規格、角形２号の封筒５０の概略構成について、図６乃至図８を参照して説明する。
【０００４】
図６は従来の封筒５０の展開図、図７は従来の封筒５０の完成状態の表面図、図８は従来の封筒５０の完成状態の裏面図である。
【０００５】
従来の封筒５０は、図６に示すように、封筒用紙を用いて全体として略四角形状に形成されるとともに、中央折り込みラインＬの一方側に四角形状の表片５１を、他方側に同じく四角形状の裏片５２を有している。前記表片５１と裏片５２とは略同一寸法に形成している。
【０００６】
また、前記表片５１における中央折り込みラインＬとは反対側（図６において右側）の側辺部には、小幅の側部折り込み片５３を、前記表片５１の下辺部には小幅の下部折り込み片５４を形成している。
【０００７】
更に、前記表片５１の上辺部には蓋片５５を形成している。なお、図６においては、前記表片５１、裏片５２の各外面となる面が紙面上に表出した状態を示している。
【０００８】
そして、前記側部折り込み片５３、下部折り込み片５４を各々前記表片５１の内面側に折り込み、更に、前記中央折り込みラインＬの位置で裏片５２を前記表片５１上に折り込んで、裏片５２と側部折り込み片５３との重合部分、及び、裏片５２と下部折り込み片５４との重合部分を各々糊付けすることで、図７、図８に示すような完成状態であり、かつ、周知の封筒５０とする。
【０００９】
上述したように、前記側部折り込み片５３、下部折り込み片５４は、ノリシロ片として機能するものである。
【００１０】
しかしながら、従来の封筒５０の場合、正面から見て右側の側辺部分は、前記表片５１の側辺部、側部折り込み片５３、裏片５２の側辺部の３層構造となり、また、正面から見て下辺部分は、前記表片５１の下辺部、下部折り込み片５４、裏片５２の下辺部の３層構造となる。
【００１１】
この結果、従来の封筒５０においては、前記表片５１、裏片５２の正面から見て右側の側辺部分及び下辺部分は３層構造となり、前記表片５１、裏片５２のその他の領域は２層構造となって、全体として見ると封筒の仕上がり厚さが不均一となる。
【００１２】
このような従来の封筒５０をプリンタに入れて宛名等の印刷を行う場合、プリンタにおける給紙部分、搬送部分、画像形成部分、定着部分、排出部分において、紙詰まり、印刷ムラ、定着不良、排出ローラによる印刷部分へのキズの発生等の弊害を引き起こすという問題を包含している。
【００１３】
特許文献１には、プリンタでの自動給紙の際の障害が起こらず、スムーズに給紙可能とすることを目的として、袋用シートを二つ折りして重ね合わせ部分の両側を接着し、二つ折り部を底部としてその反対側を開口部とした封筒等を構成する両サイド貼りの袋が提案されている。
【００１４】
この特許文献１に開示された袋について検討する。
【００１５】
例えば、ＪＩＳ規格、角形２号封筒の場合、外寸法で横２４０ｍｍ×縦３３２ｍｍと規定されている。
【００１６】
ところが、特許文献１に開示された袋を封筒として使用する場合、両サイド貼りであり、ノリシロとして片側１０ｍｍ程度、両側で２０ｍｍ程度必要となることから、内寸法で横サイズが２２０ｍｍ程度となってしまう。
【００１７】
角形２号封筒は、内容物としてＡ４判（２１０×２９７ｍｍ）の紙葉類等を入れるものであるが、特許文献１に開示された袋では、余裕分が１０ｍｍ程度しか残らないことになる。このため、Ａ４版の紙葉等を入れる場合に狭くなり非常に入れにくくなり、また、収容量も少なくなってしまう。
【００１８】
また、特許文献１に開示された構造の場合、両側のノリシロ部分には貼り合わせのために糊を塗布するが、糊の性質上ピッタリと直線的に塗布することは困難であり、このため、紙葉等の内容物を入れる際に、封筒内の糊接着部分と内容物の辺部との接触、引っかかり等が生じることが多く、内容物の円滑な挿入、更には円滑な取り出しができないという問題を有している。
【先行技術文献】
【特許文献】
【００１９】
【特許文献１】特許第３６７８３４２号公報
【考案の概要】
【考案が解決しようとする課題】
【００２０】
本考案が解決しようとする問題点は、表片、裏片全体の厚さの均一化と、内容物の十分な収納領域の確保及び内容物の挿入・取り出しの円滑性の確保とを併せて実現した封筒が存在しない点である。
【課題を解決するための手段】
【００２１】
本考案に係る封筒は、四角形状又は長方形状で上辺に蓋片を一体形成した表片と、この表片と略同一寸法で、かつ、前記表片の一方の側辺部に一方の側辺部が一体に連なり折り込みにより前記表片と重なり合わせた裏片と、前記表片、裏片の重なり合う他方側の両側辺部の内面同士を一定寸法分貼り合わせた側辺貼り合わせ部と、前記表片、裏片の重なり合う両下辺部の内面同士を一定寸法分貼り合わせた下辺貼り合わせ部と、を有し、前記蓋片側に内容物出入用の開口部を有する構造としたことを最も主要な特徴とする。
【考案の効果】
【００２２】
請求項１記載の考案によれば、片側の側辺内部に側辺貼り合わせ部を有し、下辺内部に下辺貼り合わせ部を有するとともに、反対側の側辺内部には貼り合わせ部が無い構造とし、全体として表片、裏片の２層構造としているので、表片、裏片全体の厚さの均一化による紙面へのプリンタ印刷の適正化及びプリンタトラブルの回避、内容物の十分な収納領域の確保、更には内容物の挿入・取り出しの円滑性の確保を併せて実現することができる封筒を提供することができる。
【００２３】
請求項２記載の考案によれば、片側の側辺内部に略１０ｍｍ幅の側辺貼り合わせ部を有し、下辺内部に略１０ｍｍ幅の下辺貼り合わせ部を有するとともに、反対側の側辺内部には貼り合わせ部が無い構造とし、全体として表片、裏片の２層構造としているので、請求項１記載の考案の場合と同様、表片、裏片全体の厚さの均一化による紙面へのプリンタ印刷の適正化及びプリンタトラブルの回避、内容物の十分な収納領域の確保、更には内容物の挿入・取り出しの円滑性の確保を併せて実現することができる封筒を提供することができる。
【００２４】
請求項３記載の考案によれば、請求項２記載の考案の場合と同様な効果を奏するとともに、角型封筒、長形封筒又は洋形封筒に好適に適用できる封筒を実現し提供することができる。
【図面の簡単な説明】
【００２５】
【図１】図１は本考案の実施例に係る封筒の完成状態の表面図である。
【図２】図２は本実施例に係る封筒の完成状態の裏面図である。
【図３】図３は本実施例に係る封筒の展開図である。
【図４】図４は図１のＡ−Ａ線拡大断面図である。
【図５】図５は図１のＢ−Ｂ線拡大断面図である。
【図６】図６は従来の封筒の展開図である。
【図７】図７は従来の封筒の完成状態の表面図である。
【図８】図８は従来の封筒の完成状態の裏面図である。
【考案を実施するための形態】
【００２６】
本考案は、表片、裏片全体の厚さの均一化と、内容物の十分な収納領域の確保及び内容物の挿入・取り出しの円滑性の確保とを併せて実現した封筒を実現し提供するという目的を、四角形状又は長方形状で上辺に台形状の蓋片を一体形成した表片と、この表片と略同一寸法で、かつ、前記表片の一方の側辺部に一方の側辺部が一体に連なり折り込みにより前記表片と重なり合わせた裏片と、前記表片、裏片の重なり合う他方側の両側辺部の内面同士を略１０ｍｍ幅で糊により貼り合わせた側辺貼り合わせ部と、表片、裏片の重なり合う両下辺部の内面同士を略１０ｍｍ幅で糊により貼り合わせた下辺貼り合わせ部と、を有し、前記蓋片側に内容物出入用の開口部を有する構成により実現した。
【実施例】
【００２７】
以下、本考案の実施例に係る封筒について図面を参照して詳細に説明する。
【００２８】
本実施例に係る封筒１は、図１乃至図５に示すように、四角形状又は長方形状で上辺に台形状の蓋片４を一体形成した表片２と、この表片２と略同一寸法で、かつ、前記表片２の一方の側辺部２ａに一方の側辺部３ａが一体に連なり折り込みにより前記表片２とぴったりと重なり合わせる裏片３と、前記表片２、裏片３の重なり合う他方側の両側辺部２ｂ、３ｂの内面同士を例えば略１０ｍｍ幅で糊により貼り合わせた側辺貼り合わせ部１１と、前記表片２、裏片３の重なり合う両下辺部２ｃ、３ｃの内面同士を例えば略１０ｍｍ幅で糊により貼り合わせた下辺貼り合わせ部１２と、を有し、前記蓋片４側（裏片３の上辺側）に内容物である紙葉類等の出入用の開口部５を、前記表片２、裏片３の内部に内容物収納領域６を有する構造としている。
【００２９】
本実施例に係る封筒１の作製工程について概説すると、まず、封筒用用紙を用い、図３に示すように、四角形状又は長方形状で上辺に台形状の蓋片４を一体形成した表片２と、この表片２と略同一寸法で、かつ、前記表片２の一方の側辺部２ａに一方の側辺部３ａが一体に連なる裏片３とを例えばプレス成形により作製し、これを封筒原紙とする。
【００３０】
次に、製袋機を使用し、前記表片２の一方の側辺部２ａと、裏片３の一方の側辺部３ａが一体に連なる部分、すなわち、直線状部分を中央折り込みラインＬとして、この中央折り込みラインＬにて両者を折り込みぴったりと重ね合わせる。
【００３１】
そして、前記表片２、裏片３の重なり合う他方側の両側辺部２ｂ、３ｂの内面同士の例えば略１０ｍｍ幅の領域をノリシロ部分（図３に点線斜線を付して示す）とし、このノリシロ部分に糊を塗布し貼り合わせることにより図１、図２及び図４に示す側辺貼り合わせ部１１とする。
【００３２】
同様に、前記表片２、裏片３の重なり合う両下辺部２ｃ、３ｃの内面同士の例えば略１０ｍｍ幅の領域をノリシロ部分（図３に点線斜線を付して示す）とし、このノリシロ部分に糊を塗布し貼り合わせることにより図１、図２及び図５に示す下辺貼り合わせ部１２とする。
【００３３】
この結果、図１に示すように、表面からみて右側の側辺内部に側辺貼り合わせ部１１を有し、下辺内部に下辺貼り合わせ部１２を有し、更に表面からみて左側の側辺内部には貼り合わせ部が無く、前記蓋片４側に内容物である紙葉類等の出入用の開口部５を有し、内部に十分な収納量をもった内容物収納領域６を有する構造の封筒１を得ることができる。
【００３４】
次に本実施例に係る封筒１を、例えばＪＩＳ規格、角形２号封筒とした場合を例にとって、表片２、裏片３全体の厚さの均一化の点と、内容物の十分な収納領域の確保及び内容物の挿入・取り出しにおける円滑性の確保の点について説明する。
【００３５】
本実施例に係る封筒１においては、上述したように、表面からみて右側の側辺内部に側辺貼り合わせ部１１を有し、下辺内部に下辺貼り合わせ部１２を有し、更に表面からみて左側の側辺内部には貼り合わせ部が無い構造としているので、前記表片２、裏片３の重ね合わせ領域全体にわたって厚さの均一化を実現することができる。
【００３６】
これにより、本実施例に係る封筒１をプリンタに入れて宛名等の印刷を行う場合、従来例で述べたような弊害を引き起こすことは無くなり、プリンタのトラブル発生を回避しつつ封筒１紙面への高品質の文字等の印刷状態を実現することができる。
【００３７】
また、ＪＩＳ規格、型形２号封筒は、既述したように、外寸法で横２４０ｍｍ×縦３３２ｍｍと規定されており、特に前記内容物収納領域６の横寸法に着目すると、前記側辺貼り合わせ部１１の幅が略１０ｍｍ程度であることから、前記内容物収納領域６の横寸法として、図２に示すように、略２３０ｍｍ程度を確保することができる。
【００３８】
これにより、内容物としてＡ４判（２１０×２９７ｍｍ）の紙葉類等を前記内容物収納領域６に入れたり、内容物収納領域６から出す場合に２０ｍｍ程度の余裕が生じ、更に、表面からみて左側の側辺内部には貼り合わせ部が無く折り込みのみであることから、紙葉類等の出入を摩擦が少なく滑り易い状態の基に円滑容易に行うことができる。
【００３９】
更に、上述したように、横寸法に関して２０ｍｍ程度の余裕が生じることから、前記内容物収納領域６の紙葉類等の収納量も従来例に比べ増大させることができる。
【００４０】
本実施例に係る封筒１は、ＪＩＳ規格サイズをはじめとする各種サイズの封筒に関して広範に適用可能であり、極めて実用価値に優れているものである。
【００４１】
なお、本実施例に係る封筒１に関しては、手作業（手貼り）でも同等品は作成可能であるが、貼り合わせの部分の精度、糊面の均一化、大量生産、コスト対応等、品質の維持管理に関しては手作業では不可能に近く機械製作に限定される技術と言うことができる。
【産業上の利用可能性】
【００４２】
本考案は、上述したような封筒に適用する場合の他、表面又は裏面にプリンタ印字が行われることが多い薬袋、包装用の紙袋、合成樹脂製の各種袋類等に関して広範に適用可能である。
【符号の説明】
【００４３】
１    封筒
２    表片
２ａ  側辺部
２ｂ  側辺部
２ｃ  下辺部
３    裏片
３ａ  側辺部
３ｂ  側辺部
３ｃ  下辺部
４    蓋片
５    開口部
６    内容物収納領域
１１    側辺貼り合わせ部
１２    下辺貼り合わせ部
Ｌ    中央折り込みライン
【図１】
0003180390.tif 000003
【図２】
0003180390.tif 000004
【図３】
0003180390.tif 000005
【図４】
0003180390.tif 000006
【図５】
0003180390.tif 000007
【図６】
0003180390.tif 000008
【図７】
0003180390.tif 000009
【図８】
0003180390.tif 000010
【手続補正書】
【提出日】平成24年10月17日(2012.10.17)
【手続補正１】
【補正対象書類名】明細書
【補正対象項目名】００３７
【補正方法】変更
【補正の内容】
【００３７】
また、ＪＩＳ規格、角形２号封筒は、既述したように、外寸法で横２４０ｍｍ×縦３３２ｍｍと規定されており、特に前記内容物収納領域６の横寸法に着目すると、前記側辺貼り合わせ部１１の幅が略１０ｍｍ程度であることから、前記内容物収納領域６の横寸法として、図２に示すように、略２３０ｍｍ程度を確保することができる。
【手続補正２】
【補正対象書類名】図面
【補正対象項目名】図８
【補正方法】変更
【補正の内容】
【図８】
0003180390.tif 000011